(57)【特許請求の範囲】
【請求項１】
幅方向とこれに直交する長さ方向とを有し、透液性表面シートと不透液性裏面シートとこれら両シート間に介在する吸液性コアとで形成され、
前記おむつ着用者の尿道口と肛門との間に位置させるおむつの幅方向中央域内面に、局所的な隆起部が形成されている使い捨ておむつにおいて、
前記隆起部が、疎水性の芯材とこれを被覆する疎水性の被覆シートとからなり、前記表面シートの内面に接着されていることを特徴とする前記おむつ。
【請求項２】
前記隆起部は、それが肌に当接したときに弾性的に変形可能である請求項１記載のおむつ。
【請求項３】
前記隆起部は、前記おむつ内面からの高さが１０〜１００ｍｍの範囲にある請求項１または２に記載のおむつ。
【請求項４】
前記幅方向および長さ方向の少なくとも一方における前記隆起部の断面形状が台形である請求項１〜３のいずれかに記載のおむつ。
【請求項５】
前記断面形状が台形である前記隆起部の前記幅方向および長さ方向における底辺の寸法がそれぞれ１０〜１００ｍｍおよび１０〜８０ｍｍであり、頂辺の寸法が前記底辺の寸法の５〜８０％の範囲にある請求項４記載のおむつ。
【発明の詳細な説明】
【０００１】
【発明の属する技術分野】
この発明は、使い捨ておむつに関する。
【０００２】
【従来の技術】
従来、使い捨ておむつでは、ほぼ平坦に形成された内面を湾曲させて尿道口や肛門の周りに当てがうことによって排泄物を速やかに吸収し、かつ保持しようとするものが多い。しかるに、このおむつを着用したときに軟便が排泄されると、便は吸収される前に身体の前側へ流れ、股部や尿道口周辺を汚すということがある。このような例は、軟便を排泄することの多い乳幼児の場合によく見受けられる。
【０００３】
実開平７−７６２０号公報に開示の公知の使い捨ておむつでは、軟便がそのように流れることを防ぐために、肛門周囲に当接するおむつ内面に環状の隆起部が形成されている。隆起部の内側は便溜めであり、このおむつによれば軟便で身体の前側を汚すことが少なくなる。
【０００４】
【発明が解決しようとする課題】
前記従来のおむつのように軟便が流れて尿道口近傍を汚すことは不衛生であり、かつ、その軟便の始末には手間がかかる。尿と軟便とが共に排泄されている場合には、それらの始末が特に煩わしい。
【０００５】
前記公知のおむつによれば、このような問題を解消できるのだが、この場合には、環状隆起部が肛門周囲に密着していなければならないという、おむつ着用時の制約がある。加えて、着用者が仰むけになると、その環状隆起部が肌に強く当接して、おむつを着用することによる違和感が強調されるということがある。
【０００６】
そこで、この発明が課題とするのは、着用させることが容易で、着用したときに違和感がなく、しかも軟便が身体の前側へ流れることを防止できる使い捨ておむつの提供を課題にしている。
【０００７】
【課題を解決するための手段】
前記課題解決のために、この発明が対象とするのは、幅方向とこれに直交する長さ方向とを有し、透液性表面シートと不透液性裏面シートとこれら両シート間に介在する吸液性コアとで形成され、おむつ着用者の尿道口と肛門との間に位置させる前記おむつの幅方向中央域内面に、局所的な隆起部が形成されている使い捨ておむつである。
【０００８】
かかるおむつにおいて、この発明が特徴とするところは、前記隆起部が、疎水性の芯材とこれを被覆する疎水性の被覆シートとからなり、前記表面シートの内面に接着されていることにある。
【０００９】
この発明には、以下のような好ましい実施態様がある。
（１）前記隆起部は、それが肌に当接したときに弾性的に変形可能である態様。
（２）前記隆起部は、前記おむつ内面からの高さが１０〜１００ｍｍの範囲にある態様。
（３）前記幅方向および長さ方向の少なくとも一方における前記隆起部の断面形状が台形である態様。
（４）前記断面形状が台形である前記隆起部の前記幅方向および長さ方向における底辺の寸法がそれぞれ１０〜１００ｍｍおよび１０〜８０ｍｍであり、頂辺の寸法が前記底辺の寸法の５〜８０％の範囲にある態様。
【００１０】
【発明の実施の形態】
添付の図面を参照し、この発明に係る使い捨ておむつの詳細を説明すると、以下のとおりである。
【００１１】
図１に平面図で示された使い捨ておむつ１は、透液性表面シート２と、不透液性裏面シート３と、これら両シート２，３間に介在する吸液性コア４とで形成され、おむつ１を幅方向において二等分する中心線Ｙ−Ｙと、長さ方向において二等分する中心線Ｘ−Ｘとを有する。表裏面シート２，３は、コア４の周縁から延出し、その延出する部分において合掌状に重なり合い、幅方向へ互いに並行して延びる一対の端縁部フラップ１１と、長さ方向へ互いに並行して延びる一対の側縁部フラップ１２とを形成している。かかるおむつ１は、その長さ方向に前胴周り域６と、後胴周り域７と、これら両域６，７間に位置する股下域８とを有し、股下域８の両側が内方へ湾曲している。後胴周り域７の端縁部フラップ１１と、一対の側縁部フラップ１２とには胴周り弾性部材１３と脚周り弾性部材１４とが配され、これら弾性部材１３，１４が表裏面シート２，３の間に位置し、これらシート２，３の少なくとも一方の内面にホットメルト接着剤（図示せず）を介して接合している。後胴周り域７の両側縁部フラップ１２には、テープファスナ１５が取り付けられている。
【００１２】
かかるおむつ１の股下域８には、幅方向中央域に、好ましくは中心線Ｙ−Ｙ上に隆起部２１が形成されている。隆起部２１は、おむつ１を着用したときに、着用者の尿道口と肛門との間に来るようにおむつ１の長さ方向における位置が定められるもので、その一例として、図には中心線Ｘ−Ｘ上に存在する場合が示されている。
【００１３】
図２，３は、図１におけるＸ−Ｘ線およびＹ−Ｙ線に沿った断面図である。おむつ１の大きさにもよるが、隆起部２１が図示のような台形を呈するときには、おむつ１の平坦な内面２２からの高さＨが１０〜１００ｍｍの範囲にあり、Ｘ方向における底辺の長さＡＸは１０〜１００ｍｍ、Ｙ方向における底辺の長さＡＹは１０〜８０ｍｍの範囲にあり、ＸおよびＹ方向における頂辺の長さＢＸ，ＢＹはそれぞれの底辺の長さＡＸ，ＡＹの５〜８０％の範囲にある。より好ましくは、頂辺の長さＢＸ，ＢＹは少なくとも５ｍｍであって、かつ、底辺の長さＡＸ，ＡＹの２０から８０％の範囲にあり、台形の頂部が尖鋭端にならないようにする。底辺の長さＡＸとＡＹどうしおよび頂辺の長さＢＸとＢＹどうしは、寸法が同じ場合と、長さＡＸがＡＹよりも長く、長さＢＸが長さＢＹよりも長い場合とがある。隆起部２１の各斜辺が平坦な内面２２と成す角度はＣ１，Ｃ２，Ｄ１，Ｄ２である。Ｃ１とＣ２とは等しく、図３において、おむつ１の前胴周り域６寄りと後胴周り域７寄りとに現れる角度Ｄ１とＤ２とは、等しい場合と異なる場合とがある。隆起部２１は、このように形成されているときに、おむつ着用者の股部に下方から密着し易い。
【００１４】
図示例の隆起部２１は、コア４の局所が隆起するようにコア４を成形し、そのコア４の上面を透液性表面シート２で被覆することによって得ることができる。そのときにもし必要ならば、隆起部２１を含むコア４の上面と表面シート２とをホットメルト接着剤によって間欠的に接合することができる。コア４の構成材料に特別の規定はなく，例えば粉砕パルプや粉砕パルプと高吸水性ポリマー粉末との混合物を所要の形状に圧縮することによって得ることができる。
【００１５】
かような隆起部２１を有するおむつ１は、それが着用されると、隆起部２１が内面２２において尿道口と肛門との間を前後方向で仕切る壁として作用し、尿が身体の後側へ流れたり、軟便が身体の前側へ流れたりすることを阻止することができる。その阻止効果は、隆起部２１がたとい股部に密着していなくても得られるが、密着しているときにはその効果が顕著になる。
【００１６】
図４は、この発明の実施態様の一例を示す図２と同様の図面である。このおむつ１では、個別の部材として用意された隆起部２１が接着剤２３を介して内面２２に取り付けられている。隆起部２１は、断面が台形の芯材２４と、被覆シート２６とで形成されている。芯材２４は、スポンジや繊維の集合体からなる弾性体で、肌に接触したときに図の上下方向や左右方向へ弾性的に変形する。その変形は、芯材２４に１０ｇｆ／ｃｍ２の圧力を作用させたときに、厚さが１０〜８０％減少する程度であることが好ましい。このような弾性を得るために、前記繊維には捲縮した複合繊維を使用することができる。被覆シート２６は、芯材２４の形状を保持し、外観や肌触りを良くするためのもので、不織布や織布、プラスチックフィルム等が使用される。芯材２４と被覆シート２６とに疎水性や撥水性のものを使用して、隆起部２１に尿や軟便の吸収を阻止する機能をもたせることもできる。
【００１７】
この発明において、断面が台形のものとして説明した隆起部２１は、その形状を半球状や半円柱状など、適宜の形状に変えることができる。
【００１８】
【発明の効果】
この発明に係る使い捨ておむつは、おむつ着用者の尿道口と肛門との間に位置する隆起部を有するから、軟便が身体の前側へ流れたり、尿が後側へ流れたり、軟便と尿とが混在したりすることを防ぐことができる。かかる隆起部は、股部に密着していなくてもその機能を果すことが可能であり、しかも尿道口と肛門との間であればどこに位置していてもその機能を果すことが可能であるから、このおむつは、着用させるときに隆起部の位置についての格別の配慮が不要で、着用させ易い。また、かかる隆起部は、仰むけの姿勢にある着用者に刺激を与えることがない。
【図面の簡単な説明】
【図１】おむつの部分破断平面図。
【図２】図１のＸ−Ｘ線部分断面図。
【図３】図２のＹ−Ｙ線部分断面図。
【図４】実施態様の一例を示す図２と同様の図面。
【符号の説明】
１    おむつ
２    表面シート
３    裏面シート
４    コア
６    前胴周り域
７    後胴周り域
８    股下域
２１  隆起部
２４  芯材
２６  被覆シート
Ｈ    高さ
【図１】
0003550058.tif 000002
【図２】
0003550058.tif 000003
【図３】
0003550058.tif 000004
【図４】
0003550058.tif 000005